(57)【要約】【課題】画像信号をパケット化せずに送信する技術と比較して、画像信号の処理を効率化することができる原稿読取装置及び画像形成装置を提供する。【解決手段】画像形成装置１０は、原稿の画像を取得する読取部４５０と、読取部４５０が取得した原稿の画像信号であって、受信部２６０で受信され、画像処理部２７０で処理される画像信号を送信する送信部４７０とを有し、送信部４７０は、画像信号をパケット化し、パケット単位で送信する。【選択図】図２
2018182685.tif 000002
【特許請求の範囲】
【請求項１】
画像を取得する画像取得部と、
前記画像取得部が取得した画像の画像信号であって、受信部で受信され、画像処理部で処理される画像信号を送信する送信部と、
を有し、
前記送信部は、画像信号をパケット化し、パケット単位で送信するデータ送信装置。
【請求項２】
前記送信部は、前記画像処理部のデータ処理方式に応じてパケット化された画像信号をパケット単位で送信する請求項１記載のデータ送信装置。
【請求項３】
前記送信部は、前記画像処理部がデータを処理する順序及び単位の少なくともいいずれか一方に応じてパケット化された画像信号をパケット単位で送信する請求項２記載のデータ送信装置。
【請求項４】
前記送信部は、ＩＥＥＥ８０２．１１ａｄで規格化されたＷｉＧｉｇを通じて前記受信部へ画像信号を送信する請求項１乃至３いずれか記載のデータ送信装置。
【請求項５】
原稿を読み取る原稿読取部と、
前記読取部で読み取った原稿の画像信号を送信する送信部と、
前記送信部が送信した画像信号を受信する受信部と、
前記受信部が受信した画像信号を処理する画像処理部と、
前記画像処理部が処理した画像信号を用いて画像を形成する画像形成部と、
を有し、
前記送信部は、画像信号をパケット化し、パケット単位で送信する画像形成装置。
【発明の詳細な説明】
【技術分野】
【０００１】
本発明は、データ送信装置及び画像形成装置に関する。
【背景技術】
【０００２】
特許文献１には、筐体と、前記筐体に対して可動する可動部材と、前記可動部材に取り付けられ、無線で通信を行う無線通信素子と、前記無線通信素子と無線で送受信を行う送受信部と、前記可動部材が前記筐体内に位置している状態で、前記無線通信素子と前記送受信部との通信を遮蔽する遮蔽部と、を有する検知装置であって、前記可動部材の動作により、前記無線通信素子が前記筐体外に露出することで、前記無線通信素子と前記送受信部間の通信が可能なモードと、前記無線通信素子が前記筐体内に入ることで、前記無線通信素子と前記送受信部間の通信が不可能となるモードを持つことで、前記検知装置の状態を検知することを特徴とする検知装置が記載されている。
【０００３】
特許文献２には、画像処理に関する制御を行う複数の機能ユニットにより構成される画像形成装置であって、各機能ユニットは、画像形成装置に搭載可能な機能のうちの１以上の制御を行う制御手段と、他の機能ユニットと超広帯域無線により画像データの通信を行う通信手段とを備えることを特徴とする画像形成装置が記載されている。
【先行技術文献】
【特許文献】
【０００４】
【特許文献１】特開２００７−３３３４１１号公報
【特許文献２】特開２００８−２３６０９４号公報
【発明の概要】
【発明が解決しようとする課題】
【０００５】
画像信号の画像処理部での処理は効率化することが望ましい。
【０００６】
本発明は、画像信号をパケット化せずに送信する技術と比較して、画像信号の処理を効率化することができるデータ送信装置及び画像形成装置を提供することを目的とする。
【課題を解決するための手段】
【０００７】
請求項１に係る本発明は、画像を取得する画像取得部と、前記画像取得部が取得した画像の画像信号であって、受信部で受信され、画像処理部で処理される画像信号を送信する送信部と、を有し、前記送信部は、画像信号をパケット化し、パケット単位で送信するデータ送信装置である。
【０００８】
請求項２に係る本発明は、前記送信部は、前記画像処理部のデータ処理方式に応じてパケット化された画像信号をパケット単位で送信する請求項１記載のデータ送信装置である。
【０００９】
請求項３に係る本発明は、前記送信部は、前記画像処理部がデータを処理する順序及び単位の少なくともいいずれか一方に応じてパケット化された画像信号をパケット単位で送信する請求項２記載のデータ送信装置である。
【００１０】
請求項４に係る本発明は、前記送信部は、ＩＥＥＥ８０２．１１ａｄで規格化されたＷｉＧｉｇを通じて前記受信部へ画像信号を送信する請求項１乃至３いずれか記載のデータ送信装置である。
【００１１】
請求項５に係る本発明は、原稿を読み取る原稿読取部と、前記読取部で読み取った原稿の画像信号を送信する送信部と、前記送信部が送信した画像信号を受信する受信部と、前記受信部が受信した画像信号を処理する画像処理部と、前記画像処理部が処理した画像信号を用いて画像を形成する画像形成部と、を有し、前記送信部は、画像信号をパケット化し、パケット単位で送信する画像形成装置である。
【発明の効果】
【００１２】
請求項１に係る本発明によれば、画像信号をパケット化せずに送信する技術と比較して、画像信号の処理を効率化することができるデータ送信装置を提供することができる。
【００１３】
請求項２に係る本発明によれば、送信部が、画像処理部のデータ処理方式とは異なる形式でパケット化されたデータを送信する技術と比較して画像信号の処理を効率化することができる。
【００１４】
請求項３に係る本発明によれば、送信部が、画像処理部がデータを処理する順序と単位とは異なる形式でパケット化されたデータを送信する技術と比較して、画像信号の処理を効率化することができる。
【００１５】
請求項４に係る本発明によれば、ＷｉＧｉｇ以外を通じてデータを送信する装置と比較して、データの送信を高速とすることができる。
【００１６】
請求項５に係る本発明によれば、画像信号をパケット化せずに送信する技術と比較して、画像信号の処理を効率化することができる画像形成装置を提供することができる。
【図面の簡単な説明】
【００１７】
【図１】本発明の第１の実施形態で用いられる画像形成装置の概略構成を示す図である。
【図２】図１に示す画像形成装置が有する出力部と、送信部と、受信部と、画像処理部とを模式的に示す図である。
【図３】図１に示す画像形成装置が有する画像処理部が画像信号を処理する単位と順序との第一の例を説明する図である。
【図４】図１に示す画像形成装置が有する画像処理部が画像信号を処理する単位と順序との第二の例を説明する図である。
【図５】図１に示す画像形成装置が有する画像処理部が画像信号を処理する単位と順序との第三の例を説明する図である。
【図６】図１に示す画像形成装置における送信部による画像信号の送信と、画像処理部による画像信号の処理とを説明する図である。
【図７】本発明の第２の実施形態で用いられる原稿読取装置を示す図である。
【００１８】
以下、本発明の実施形態について図面を参照して詳細に説明する。図１は、本発明の第一の実施形態で用いられる画像形成装置１０の一例を示す図である。図１に示すように、画像形成装置１０は、出力装置１００と、原稿読取装置４００とを有する。
【００１９】
出力装置１００は、例えば用紙等の記録媒体に画像を出力する装置であって、出力装置本体１１０を有し、出力装置本体１１０の上側の面が、画像の形成された記録媒体が排出される排出部１１２として用いられている。また、出力装置本体１１０内には、記録媒体に画像を形成する画像形成部１３０が配置されている。
【００２０】
画像形成部１３０は、後述する画像処理部２７０が処理したデータを用いて画像を形成するものであり、例えば電子写真方式を用いて、例えば単色の画像を形成する。また、画像形成部１３０は、像保持体として用いられている感光体ドラム１３２と、感光体ドラム１３２を帯電する帯電装置１３４と、感光体ドラム１３２の表面に静電潜像を形成する潜像形成部１３４と、潜像を現像してトナー像とする現像装置１３６と、トナー像を記録媒体に転写する転写装置１３８と、感光体ドラム１３２の表面を清掃する清掃装置１４２と、記録媒体にトナー像を定着させる定着装置１４４とを有する。
【００２１】
以上の説明においては、電子写真方式を採用した構成を例として示して画像形成部１３０を説明したものの、画像形成部１３０は、例えはインクジェット方式等、電子写真以外の方式を採用したものであってもよい。また、以上の説明においては、単色の画像を形成する構成を例として画像形成部１３０を説明したものの、画像形成部１３０は、多色の画像を形成する構成としてもよい。
【００２２】
出力装置本体１１０内には、供給装置２００がさらに配置されている。供給装置２００は、収納部２０２に収納された記録媒体を、供給ロール２０４を用いて画像形成部１３０へと供給する。
【００２３】
また、出力装置本体１１０内には搬送路２３０が形成されている。搬送路２３０は、供給装置２００から転写装置１３８へと記録媒体を送信し、さらには定着装置１４４へと記録媒体を搬送し、さらには排出部１１２へと記録媒体を排出するように記録媒体を搬送する。
【００２４】
出力装置本体１１０内には、搬送路２３０に沿って、記録媒体搬送方向における上流側が順に、先述の供給ロール２０４と、レジストロール２３２と、先述の転写装置１３８と、先述の定着装置１４４と、排出ロール２３４とが配置されている。
【００２５】
レジストロール２３２は、記録媒体の先端の移動を一時的に停止させ、画像形成部１３０が画像を形成するタイミングに一致させるように、記録媒体の先端の移動を再開させる。
【００２６】
排出ロール２３４は、定着装置１４４によってトナー像が定着された記録媒体を排出部１１２へと排出する。
【００２７】
出力装置本体１１０内には、受信部２６０がさらに配置されている。受信部２６０は、後述する送信部４７０が送信した画像信号を受信する。
【００２８】
出力装置本体１１０内には、画像処理部２７０がさらに配置されている。画像処理部２７０は、受信部２６０が受信した画像信号（データ）を処理する。また、画像処理部２７０が処理した画像信号を用いて、例えば潜像形成部１３４等の画像形成部１３０が画像を形成する。尚、画像処理部２７０の詳細は後述する。
【００２９】
原稿読取装置４００は、原稿読取装置本体４０２を有し、原稿読取装置本体４０２の上側の面が、読取が終わった原稿が排出される排出部４０４として用いられている。また、原稿読取装置４００は、読取前の原稿を支持する支持部４０６をさらに有する。
【００３０】
原稿読取装置本体４０２内には、搬送路４１０が形成されている。搬送路４１０は、例えば複数の搬送部材４１２を用いて、支持部４０６に支持された原稿を読取位置Ｐまで搬送し、読取位置Ｐから排出部４０４へとさらに原稿を搬送する。
【００３１】
原稿読取装置本体４０２内には、光源４２０と、集光部４２２と、読取部４５０とがさらに配置されている。光源４２０は、原稿の読取位置Ｐを通過中の部分に光を照射する。集光部４２２は、例えばレンズ等の光学部品を備え、光源４２０から発せられ、原稿の表面で反射された光を読取部４５０へと集める。
【００３２】
読取部４５０は、原稿を読み取る原稿読取部の一例であるとともに、画像を取得する画像取得部の一例であり、所謂イメージセンサであって、例えば、ＣＣＤ（Charge  Coupled Device）、ＣＩＳ（Contact Image Sensor）、ＢＢＤ（Bucket Brigade Device）などを用いることができる。
【００３３】
原稿読取装置本体４０２内には、出力部４６０がさらに配置されている。出力部４６０としては、アナログフロントエンド（Analog Front End）を用いことができる。また、出力部４６０は、読取部４５０から入力された画像信号をアナログ信号からデジタル信号に変換して出力する。
【００３４】
原稿読取装置本体４０２内には、送信部４７０がさらに配置されている。送信部４７０は、読取部４５０で読み取られた原稿の画像信号であって、出力部４６０でデジタル信号に変換され、受信部２６０で受信され、画像処理部２７０で処理される画像信号を送信する。
【００３５】
送信部４７０から受信部２６０への画像信号の送信は、例えば無線でなされ、例えば、ＷｉＧｉｇを通じてなされる。ここで、ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。
【００３６】
図２には、出力部４６０と、送信部４７０と、受信部２６０と、画像処理部２７０とが示されている。出力部４６０は、デジタル信号に変換された画像信号とＣＬＫとを出力する。
【００３７】
送信部４７０は、画像信号とＣＬＫとを送信する。
【００３８】
受信部２６０は、送信部が送信した画像信号とＣＬＫとを受信する。
【００３９】
画像処理部２７０としては、例えば、ＡＳＩＣ（application specific integrated circuit）やＣＰＵ（central processing unit）を用いることができる。画像処理部２７０は、画像信号のからのノイズ除去、点処理、誤差拡散処理、エッジ処理、シャープネス処理等の画像処理を行う。ここで、画像処理部２７０には、画像を点単位で処理するものや、画像をライン単位で処理するものや、画像をタイル単位で処理するものがある。例えば、画像処理部２７０には、ノイズ除去処理をライン単位で行うものがあり、また、例えば、画像処理部２７０には、誤差拡散、エッジ処理、シャープネス処理等の近隣画素を用いてタイル単位で行うものがある。
【００４０】
ここで、出力部４６０が出力する単位や順序のままで送信部４７０が画像信号を送信すると、出力部４６０が出力した単位や順序の画像信号を画像処理部２７０が処理することになる。この場合、画像処理部２７０での処理の単位となる１ライン分の画像信号や、１つのタイル分の画像信号の送信の完了までに時間を要し、画像処理部２７０による画像処理の速度や効率が低下する虞がある。
【００４１】
このため、この画像形成装置１０においては、送信部４７０が、画像処理部２７０の信号処理方式に応じて画像信号をパケット化し、パケット単位で画像信号を送信している。より具体的には、画像処理部２７０が信号を処理する順序及び単位の少なくともいずれか一方に応じてパケット化され画像信号を、送信部４７０が送信している。
【００４２】
図３は、画像処理部２７０が画像信号を処理する単位と、画像処理部２７０が画像信号を処理する順序との第一の例を説明する図である。
【００４３】
この第一の例では、画像処理部２７０は、図３に示すよう、例えば主走査方向に伸びる一定の幅の領域であるライン領域の単位で画像信号を処理し、ライン領域Ｌ１の処理の後にライン領域Ｌ１の下方に位置するライン領域Ｌ２の画像信号を処理するとのように、記録媒体の上端部側のライン領域から下端部側のライン領域へ向かう順序で画像信号を処理する。
【００４４】
そして、この第一の例では、送信部４７０は、画像処理部２７０での画像信号の処理の単位と順序とに一致させるように、ライン領域の単位で画像信号をパケット化し、ライン領域の単位でパケット化した画像信号を、記録媒体の上端部側のライン領域から下端部側のライン領域へ向かう順序で送信している。
【００４５】
図４は、画像処理部２７０が画像信号を処理する単位と、画像処理部２７０が画像信号を処理する順序との第二の例を説明する図である。
【００４６】
この第二の例では、画像処理部２７０は、図４に示すよう、一定の形状の長方形の領域であるタイル領域の単位で画像信号を処理し、タイル領域Ｔ１の画像信号の処理の後に、タイル領域Ｔ１の右側に位置するタイル領域Ｔ２の画像信号を処理するとのように、記録媒体の左上部に位置するタイル領域から、記録媒体の右下にあるタイル領域へと向かう順序で画像信号を処理する。
【００４７】
そして、この第二の例では、送信部４７０は、画像処理部２７０での画像信号の処理の単位と順序とに一致させるように、タイル領域の単位で画像信号をパケット化し、タイル領域の単位でパケット化した画像信号を、記録媒体の右上側のタイル領域から記録媒体の右下側にあるタイル領域へと向かう順序で画像信号を送信している。
【００４８】
図５には、画像処理部２７０が画像信号を処理する単位と、画像処理部２７０が画像信号を処理する順序との第三の例が説明されている。
【００４９】
この第三の例では、画像処理部２７０は、図５に示すよう、一定の大きさの点単位で画像信号を処理し、点領域Ｐ１の画像信号の処理の後に、点領域Ｐ１の右側に位置する点領域Ｐ２の画像信号を処理するとのように、記録媒体の左上部に位置する点領域から、記録媒体の右下にある点領域へと向かう順序で画像信号を処理する。
【００５０】
そして、この第三の例では、送信部４７０は、画像処理部２７０での画像信号の処理の単位と順序とに一致させるように、点領域の単位で画像信号をパケット化し、点領域の単位でパケット化した画像信号を、記録媒体の左上側の点領域から記録媒体の右下側にある点領域へと向かう順序で画像信号を送信している。
【００５１】
図６には、画像信号の送信と、画像信号の処理とが説明されていて、図６（Ａ）には、画像処理部２７０が画像信号をライン領域ごとに処理をする第一の例の場合の送信部４７０による画像信号の送信と、画像処理部２７０による画像信号の処理とが説明されている。
【００５２】
図６（Ａ）に示すように、この第一の例では、送信部４７０が、ライン領域の単位で画像信号をパケット化し、パケット化した画像信号を順に送信する。そして、画像処理部２７０が、ライン領域の単位でパケット化されたデータを順に処理する。
【００５３】
図６（Ｂ）には、画像処理部２７０が画像信号をタイル領域ごとに処理をする第二の例の場合の送信部４７０による画像信号の送信と、画像処理部２７０による画像信号の処理とが説明されている。
【００５４】
図６（Ｂ）に示すように、この第二の例では、送信部４７０が、タイル領域の単位で画像信号をパケット化し、パケット化した画像信号を順に送信する。そして、画像処理部２７０が、タイル領域の単位でパケット化されたデータを順に処理する。
【００５５】
図６（ｃ）には、画像処理部２７０が画像信号を点領域ごとに処理をする第三の例の場合の送信部４７０による画像信号の送信と、画像処理部２７０による画像信号の処理とが説明されている。
【００５６】
図６（ｃ）に示すように、この第三の例では、送信部４７０が、点領域の単位で画像信号をパケット化し、パケット化した画像信号を順に送信する。そして、画像処理部２７０が、点領域の単位でパケット化されたデータを順に処理する。
【００５７】
図７には、本発明の第二の実施形態で用いられる原稿読取システム５００の一例が示されている。原稿読取システム５００は、原稿読取装置４００を有する。この第二の実施形態における原稿読取装置４００は、先述の第一の実施形態における原稿読取装置４００と同構成であるため説明を省略する。
【００５８】
原稿読取システム５００は、受信装置６００をさらに有する。受信装置６００は、原稿読取装置４００が有する送信部４７０が送信した画像信号を受信する装置である。また、受信装置６００は、受信部６１０と、通信インターフェイス６２０と、受信部６１０及び通信インターフェイス６２０を制御する制御部６３０とを有する。
【００５９】
受信部６１０は、先述の第一の実施形態における受信部２６０と機能が同一である。すなわち、受信部６１０は、ＷｉＧｉｇを通じて送信部４７０が送信した画像信号とＣＬＫとを受信する。
【００６０】
通信インターフェイス６２０は、例えばＬＡＮ等のネットワーク９００との接続に用いられる。
【００６１】
原稿読取システム５００は、出力装置１００をさらに有する。先述の第一の実施形態の出力装置１００は、受信部２６０を有していた。これに替えて、この第二の実施形態の出力装置１００は、通信インターフェイス２８０を有している。通信インターフェイス２８０は、ネットワーク９００との接続に用いられる。
【００６２】
原稿読取システム５００は、例えば二つの端末装置７００を有する。端末装置７００は、ネットワーク９００にそれぞれに接続されていて、原稿読取装置４００や出力装置１００の操作等に用いられる。
【００６３】
以上のように構成された原稿読取システム５００においては、例えば端末装置７００の操作に応じて、原稿読取装置４００の読取部４５０が原稿の画像を取得し、読取部４５０が取得した画像の画像信号であて、受信部６１０が受信され、通信インターフェイス６２０、ネットワーク９００及び通信インターフェイス２８０を通じて受信部６１０と接続されている画像処理部２７０で処理される画像信号を原稿読取装置４００の送信部４７０が送信する。そして、画像処理部２７０で処理された画像信号を用いて出力装置１００の画像形成部１３０が画像を形成する。
【００６４】
この際、先述の第一の実施形態と同様に、送信部４７０は、画像処理部２７０のデータ処理方式に応じて、より具体的には、画像処理部２７０がデータを処理する順序及び単位に応じてパケット化された画像信号をパケット単位で送信する。
【００６５】
以上で説明をした第一の実施形態では、特許請求の範囲に記載のデータ送信装置の一例として画像形成装置１０を示し、以上で説明をした第二の実施形態では、特許請求の範囲に記載のデータ送信装置の他の例として原稿読取装置４００を示したものの、この発明は、例えば、デジタルカメラ、スマートフォン装置等の、例えばＣＣＤ等が用いられる読取部と、例えばＡＳＩＣ、ＣＰＵ等が用いられる送信部とを有する装置に適用することができる。
【符号の説明】
【００６６】
１０：画像形成装置
１００：出力装置
２６０：受信部
２７０：画像処理部
４００：原稿読取装置
４５０：読取部
４６０：出力部
４７０：送信部
５００：原稿読取システム
【図１】
2018182685.tif 000003
【図２】
2018182685.tif 000004
【図３】
2018182685.tif 000005
【図４】
2018182685.tif 000006
【図５】
2018182685.tif 000007
【図６】
2018182685.tif 000008
【図７】
2018182685.tif 000009